(57)【要約】【課題】本発明は、メディアの交換を操作性良く行える情報再生装置を提供することを目的としている。【解決手段】本体と、本体のコネクタ部，メディア挿入部，昇降自在に設けられた昇降部及びメディアから少なくとも情報を再生する再生部とを備え、昇降部と本体を引き離す方向に付勢力を加える弾性部材を備えるとともに、本体と昇降部を係止する係止部材と、本体と昇降部との間の移動距離を規制する規制部材とを有し、係止部材によって本体部と昇降部が係止されている状態では、メディア挿入部は閉じられており、係止部材の係止が解除されると、昇降部は弾性部材によって本体から離れていくとともにメディア挿入部が開放される構成とした。【選択図】図１０
2005196910.tif 000002
【特許請求の範囲】
【請求項１】
本体と、前記本体に設けられ他の装置との電気的接続を行うコネクタ部と、前記本体に設けられたメディア挿入部と、前記本体に対して昇降自在に設けられるとともに前記メディア挿入口を開閉する昇降部と、前記昇降部に保持されメディアから少なくとも情報を再生する再生部とを備えた情報再生装置であって、昇降部と本体を引き離す方向に付勢力を加える弾性部材を備えるとともに、前記本体と前記昇降部を係止する係止部材と、前記本体と前記昇降部との間の移動距離を規制する規制部材とを有し、前記係止部材によって前記本体部と前記昇降部が係止されている状態では、メディア挿入部は閉じられており、前記係止部材の係止が解除されると、前記昇降部は前記弾性部材によって本体から離れていくとともに前記メディア挿入部が開放されることを特徴とする情報再生装置。
【請求項２】
メディアを光ディスクとし、再生部を光ピックアップとしたことを特徴とする請求項１記載の情報再生装置。
【請求項３】
弾性部材を昇降部に固定し、しかも複数箇所設けたことを特徴とする請求項１記載の情報再生装置。
【請求項４】
昇降部に少なくとも一部が金属で構成されたカバーを備え、前記カバーの一部でメディア挿入部を開閉することを特徴とする請求項１記載の情報再生装置。
【請求項５】
本体の一方の端部にコネクタ部を、前記本体の他方の端部にメディア挿入部を備え、昇降部を本体の一方の主面に設けたことを特徴とする請求項１記載の情報再生装置。
【発明の詳細な説明】
【技術分野】
【０００１】
本発明は、携帯情報機器、携帯電話、携帯ゲーム機などに代表される携帯端末機器に接続可能であって、少なくとも情報の再生が行える情報再生装置に関するものである。
【背景技術】
【０００２】
デジタル技術の発達に伴い、取り扱うデータが急増している。このため、様々な用途に合わせたデータ記録再生メディアが開発されている。コンピュータなどに使用される記録再生メディアとしては、ハードディスク、光ディスク、半導体メモリなどが挙げられる。前記のメディアの中で、光ディスクを使用した記録再生メディアは光ディスクの交換による容量当たりのコストの優位性、ランダムアクセス性、再生専用（ＲＯＭ）としたときに、ディスク製造の容易性に優れている。
【０００３】
一方、前記の記録再生メディアを使用するパソコンなどの機器を室内だけではなく、屋外に持ち出して使用したいという要求がある。例えば、ラップトップコンピュータなどの携帯型パソコン、ＰＤＡに代表される携帯機器、携帯電話、携帯ゲーム機器、デジタルカメラなどを挙げることができる。このとき、データ記録メディアに装備されたデータ記録装置の記録容量が少ない場合、一般に半導体メモリが使用される。半導体メモリは消費電力が少なく、機構部がないために故障に強く、データ転送速度は非常に高速であるというメリットがある。しかし、記憶容量当たりのコストが高いために、大容量の記録メディアには不向きである。
【０００４】
これに対して、データ記録装置として、一般に使用頻度の高いＨＤＤ装置は半導体メモリほどではないが転送速度も高く、記録容量当たりのコストが安価であるために、大容量記録メディアとして適している。
【０００５】
現在、ＰＤＡなどに代表される携帯機器において、Ｃｏｍｐａｃｔ  Ｆｌａｓｈカード（以下、ＣＦカードと称する。）と呼ばれているカードタイプのメディアを使用する規格コネクタが装備されており、前記コネクタにメモリとして使用する半導体メモリカード、ＨＤＤドライブ（通称マイクロドライブ）を接続することによりデータの記憶容量を増大させることが可能であり、また、その他の用途として、無線ユニット、ＬＡＮカード、ＧＰＳカード、デジタルカメラユニット、バーコードユニットを接続することが可能であり、携帯機器の使用用途を拡張している。
【０００６】
先行例としては、（特許文献１）がある。
【特許文献１】特開平１０−９７７８１号公報
【発明の開示】
【発明が解決しようとする課題】
【０００７】
しかしながら、（特許文献１）に記載されているような、情報再生装置においては、メディアの交換時には、情報再生装置をコンピュータから引き抜かなければならず、操作性が悪いという問題点があった。
【０００８】
本発明は前記従来の課題を解決するもので、メディアの交換を操作性良く行える情報再生装置を提供することを目的としている。
【課題を解決するための手段】
【０００９】
本発明は上記課題を解決するために、本体と、本体に設けられ他の部材との電気的接続
を行うコネクタ部と、本体に設けられたメディア挿入部と、本体に対して昇降自在に設けられるとともにメディア挿入口を開閉する昇降部と、昇降部に保持されメディアから少なくとも情報を再生する再生部とを備えた情報再生装置であって、昇降部と本体を引き離す方向に付勢力を加える弾性部材を備えるとともに、本体と昇降部を係止する係止部材と、本体と昇降部との間の移動距離を規制する規制部材とを有し、係止部材によって本体部と昇降部が係止されている状態では、メディア挿入部は閉じられており、係止部材の係止が解除されると、昇降部は弾性部材によって本体から離れていくとともにメディア挿入部が開放される構成とした。
【発明の効果】
【００１０】
本発明は、上記構成によって、コネクタ部を他の装置などに接続したまま、昇降部の昇降によってメディア挿入部の開閉を行えるので、情報再生装置を他の装置などに挿入したままメディアを交換することができ、操作性が向上する。
【発明を実施するための最良の形態】
【００１１】
請求項１記載の発明は、本体と、前記本体に設けられ他の部材との電気的接続を行うコネクタ部と、前記本体に設けられたメディア挿入部と、前記本体に対して昇降自在に設けられるとともに前記メディア挿入口を開閉する昇降部と、前記昇降部に保持されメディアから少なくとも情報を再生する再生部とを備えた情報再生装置であって、昇降部と本体を引き離す方向に付勢力を加える弾性部材を備えるとともに、前記本体と前記昇降部を係止する係止部材と、前記本体と前記昇降部との間の移動距離を規制する規制部材とを有し、前記係止部材によって前記本体部と前記昇降部が係止されている状態では、メディア挿入部は閉じられており、前記係止部材の係止が解除されると、前記昇降部は前記弾性部材によって本体から離れていくとともに前記メディア挿入部が開放されることを特徴とする情報再生装置であり、コネクタ部を他の装置などに接続したまま、昇降部の昇降によってメディア挿入部の開閉を行えるので、情報再生装置を他の装置などに挿入したままメディアを交換することができ、操作性が向上する。
【００１２】
請求項２記載の発明は、メディアを光ディスクとし、再生部を光ピックアップとしたことを特徴とする請求項１記載の情報再生装置であり、小径のディスクでも大量のデータを記録できるので、映画等の動画を再生可能とすることができる。
【００１３】
請求項３記載の発明は、弾性部材を昇降部に固定し、しかも複数箇所設けたことを特徴とする請求項１記載の情報再生装置であり、確実に照応部の昇降を行わせることができる。
【００１４】
請求項４記載の発明は、昇降部に少なくとも一部が金属で構成されたカバーを備え、前記カバーの一部でメディア挿入部を開閉することを特徴とする請求項１記載の情報再生装置であり、再生部で生じるノイズや外部からのノイズを遮断できるとともに、カバーの形状を任意に変えることで、確実にメディア挿入部を開閉できる。
【００１５】
請求項５記載の発明は、本体の一方の端部にコネクタ部を、前記本体の他方の端部にメディア挿入部を備え、昇降部を本体の一方の主面に設けたことを特徴とする請求項１記載の情報再生装置であり、コネクタ部とメディア挿入部を本体において最大限に離して配置できるので、コネクタ部を他の電子機器などに挿入した後でも、昇降部を他の装置外に配置することが確実に実現できる。
【００１６】
以下、本発明の実施の形態について、図を用いて説明する。
【００１７】
図１に示すように本実施の形態における情報再生装置は、光ディスクの記録再生機器部
材（光ディスクに対して情報の記録か再生の少なくとも一方を行う）を有する記録再生機構部１００、ＣＦカード規格に対応するコネクタと本体を有するＣＦカード規格機構部１０１に大きく分けることができる。
【００１８】
まず、記録再生機構部１００について図２を用いて説明する。図２に示すように、１，２はそれぞれ記録再生機構部１００を覆うカバーであり、カバー２は側壁部を構成しており、カバー１は上面部を構成している。すなわち、カバー１，２で記録再生機構部１００をカバーしている。カバー１，２は同一材料でも良いが、互いに異なる材料にしても良く、最良の実施の形態としては、カバー２は樹脂材料で構成され、カバー１を金属材料で構成することで、記録再生機構部１００の放熱性の向上、電子ノイズの漏洩防止等の効果を得ることができる。当然のことながら、カバー１，２の材料の選択は、熱問題やノイズ問題、或いは機械的強度の問題を解決すべく適宜選択可能である。
【００１９】
３は記録再生機構部１００を垂直方向へ上昇させる金属などの材料を用いた垂直方向ガイド部材である。
【００２０】
記録再生機構部１００から、カバー１，２を取り外した状態を図３に示す。図３において、１０は記録再生機構部１００内に設けられた記録再生機構部内回路基板、１１は光ディスクから読み取られた信号を送受信する光ピック信号用ＦＰＣ（Ｆｌｅｘｉｂｌｅ  Ｐｒｉｎｔｅｄ  Ｃｉｒｃｕｉｔ  以下ＦＰＣ）、１２はＣＦカード規格機構部１０１内の回路基板と信号を送受信する基板間ＦＰＣ、１３は記録再生機構部回路基板１０上に取り付けられ、記録再生機構部１００の上下方向の動作により、オン、オフされる電子スイッチである。
【００２１】
図３の記録再生機構部１００から、記録再生機構部内回路基板１０を取り外した状態を図４に示す。２０は記録再生機構部１のベースとなる記録再生機構本体部、２１は光ディスクの記録再生を行う光ピックアップモジュール、２２は光ディスクを回転させるための動力源となるスピンドルモータ、２３は光ピックアップモジュール２１を光ディスクの内周、外周位置に移動させるためにねじを切られたリードスクリューシャフト、２４はリードスクリューシャフト２３より光ピックアップモジュール２１に動力を伝達させると同時に、光ピックアップモジュール２１に組み込まれたＦＰＣを保持するラック板バネ、２５はリードスクリューシャフト２３に固定されたリードスクリューシャフト歯車、２６はリードスクリューシャフト２３を任意の方向に押圧するリードスクリューシャフト押圧ばね、２７は両側に歯車を備え、中心部にスリットを設けた円形状の遮蔽板を持つ中間歯車、２８はリードスクリューシャフト２３を回転させる動力源となるフィードモータ、２９はモータ２８の回転軸に取り付けられたモータ歯車、３０はモータを保持するモータ固定部材、３１はモータの回転数を計測するために、中間歯車の回転数を計測するフォトインターラプター、３２は光ディスクが組み込まれた光ディスクカートリッジを本発明の光ディスクドライブに着脱する際に、記録再生機構部上下動作を検知する記録再生機構部上下動作感知レバー、３３は光ピックアップモジュール２１の光ディスクの内周、外周位置への動作を規制、誘導するガイドシャフト、３４はガイドシャフト３３を記録再生機構本体部２０に固定するガイドシャフト固定部材、３５は記録再生機構本体部２０の上下動を規制し、ＣＦカード規格機構部１０１の両側に取り付けられた金属製の側面ガイド部材、３６はＣＦカード規格機構部１０１に記録再生機構本体部２０を係留する爪形状を有し、ＣＦカード規格機構部１０１の両側に備え付けられた側面係留部材、３７は側面係留部材３６に対して、任意の方向に付勢力を付与する側面係留付勢力ばね、３８は光ディスクが組み込まれた光ディスクカートリッジを本発明の光ディスクドライブに着脱する際に、記録再生機構本体部２０を持ち上げる捻りばねで形成された記録再生機構本体部持ち上げばね、３９は側面係留部材３６に固定されたスライドボタンである。
【００２２】
次に、ＣＦカード規格に対応するコネクタと本体を有するＣＦカード規格機構部１０１について図５を用いて説明する。５０はＣＦカード規格コネクタ、５１はＣＦカード規格機構部フレーム、５２はＣＦカード規格機構部フレーム５１の上面を覆う金属製の上面カバーである。
【００２３】
図５のＣＦカード規格機構部外観を示す斜視図より、上面カバー５２を取り除いたＣＦカード規格機構部内の構造を図６に示す。図６において、６０は光ディスク、６１は光ディスク６０を収納する光ディスクカートリッジ、６２は光ディスクカートリッジ６１に取り付けられたカートリッジシャッター、６３はＣＦカード規格機構部回路基板である。さらに、図７は光ディスクカートリッジ６１の内部構造を示す斜視図である。６４は光ディスク６０に固定された金属リング、６５は図７のＸ部で、カートリッジシャッター６２を係留めするシャッター係留部材である。
【００２４】
図６のＣＦカード規格機構部内の構造図より、ＣＦカード規格機構部フレーム５１を取り除いたＣＦカード規格機構部１０１内の構造を図８に示す。
【００２５】
７０は光ディスクカートリッジ６１がＣＦカード規格機構部１０１に挿入された際に、光ディスクカートリッジ６１を保持するカートリッジトレイ、７１は光ディスクカートリッジ６１をＣＦカード規格機構部１０１から排出するためのカートリッジ排出部材、７２はカートリッジ排出部材７１を押し出す動力となるカートリッジ排出ばね、７３はカートリッジ排出ばね７２の動力をカートリッジ排出部材７１に伝達するカートリッジ排出シャフト、７４は光ディスクカートリッジ６１がカートリッジトレイ７０に挿入を完了されたとき、カートリッジ排出部材７１を固定するカートリッジ排出部材固定ばね部材である。
【００２６】
ＣＦカード規格機構部１０１の下面を図９に示す。
７５はＣＦカード規格機構部フレームの下面を覆う金属製の下面カバーである。
【００２７】
次に、本発明の情報再生装置（光ディスクドライブ装置）の操作法、動作、ＣＦカードの規格に準拠させる条件について説明する。
【００２８】
まず、光ディスク６０を収納する光ディスクカートリッジ６１をＣＦカード規格機構部１０１に挿入する場合、図１０に示すように、側面係留付勢力ばね３７により、側面係留部材３６が移動する逆方向に付勢力を与えられ、側面係留部材３６に固定されたスライドボタン３９をＣＦカード規格コネクタ５０の方向へ移動させる。
【００２９】
このとき、スライドボタン３９をＣＦカード規格コネクタ５０の方向（Ａ方向）へ移動させることにより、本発明の情報再生装置（光ディスクドライブ装置）がＰＤＡなどの携帯機器に接続された状態で、スライドボタン３９の操作により、ＣＦカード規格コネクタ５０が携帯機器から脱落を防止するものである。
【００３０】
スライドボタン３９がＡ方向に操作されると、記録再生機構本体部２０の両側面部に設けられたＭ部の凸形状部からはずれ、記録再生機構本体部２０の左右２個、計４個取り付けられた記録再生機構本体部持ち上げばね３８がそれぞれＢ方向、Ｃ方向が開き、記録再生機構本体部２０をＤ方向に持ち上げる。このとき、本発明では記録再生機構本体部持ち上げばね３８は、捻りばねとなっているが、圧縮ばねとしてもよい。
【００３１】
このとき、記録再生機構本体部２０は、記録再生機構本体部２０の両側面Ｎ部に設けられたボス形状が側面ガイド部材３５に設けられた溝部に規制されることにより、図４に示すように記録再生機構本体部２０の上昇位置も規制される。このとき、前記側面ガイド部材３５に設けられた溝部を移動する記録再生機構本体部２０の側面に設けられたボス形状
Ｎ部の下部を記録再生機構本体部持ち上げばね３８の力点となるようにすることにより、記録再生機構本体部２０を垂直方向へ効率的かつ、円滑に持ち上げることができる。また、図１１に示すように記録再生機構本体部２０が垂直方向に上昇するために、記録再生機構本体部２０の底面部に垂直方向ガイド部材３を設け、ＣＦカード規格機構部フレーム５１に前記垂直方向ガイド部材３に勘合する穴を設け、記録再生機構本体部２０を垂直方向に上昇させる。ここで、本発明の光ディスクドライブはカード型の形状であり、光ディスクドライブ自体の強度を上げる必要があり、前記側面ガイド部材３５は金属材料とすることにより、光ディスクドライブの強度を向上させると共に、ＣＦカード規格で設定されているアース機能を持たせることができる。
【００３２】
そして、記録再生機構本体部２０が垂直方向に上昇することにより、図１２に示すようにＣＦカード規格機構部１０１の前面部に光ディスクカートリッジ挿入口が現れる。本発明の光ディスクドライブの操作者は、光ディスクカートリッジ３６を前記挿入口に対して挿入され、挿入された光ディスクカートリッジ６１は図１３に示すように、カートリッジトレイ７０に従って光ディスクドライブ内に挿入される。
【００３３】
さらに、カートリッジトレイ７０に設けられた折り曲げ部Ｙ部により、光ディスクカートリッジ６１内に設けられたシャッター係留部材６５を動かし、前記シャッター係留部材６５が係合していたカートリッジシャッター６２のＺ部が拘束を解かれ、カートリッジシャッター６２が動き、光ディスクカートリッジ６１の外部より、光ディスク６０を覗き見ることができる状態となる。
【００３４】
また、光ディスクカートリッジ６１がカートリッジトレイ７０内を挿入されていく過程において、図１４に示すように、光ディスクカートリッジ６１の後面部がカートリッジ排出部材７１を光ディスクカートリッジ６１の挿入方向に押し下げる。
【００３５】
カートリッジ排出部材７１にはカートリッジ排出シャフト７３が取り付けられ、さらにカートリッジ排出シャフト７３にはカートリッジ排出ばね７２が取り付けられており、カートリッジ排出部材７１が押し下げられると同時にカートリッジ排出ばね７２は圧縮される。
【００３６】
図１５に示すように、尚、カートリッジ排出部材７１はカートリッジ排出部材７１に固定されたカートリッジ排出部材固定ばね７４の先端の矢印形状が、Ｐ部に示すようにＣＦカード規格機構部フレーム５１の側面部に設けられた凸形状に係合するまで押し下げられ、固定される。
【００３７】
光ディスクカートリッジ６１がＣＦカード規格機構部１０１への挿入動作を完了すると、記録再生機構部１００の金属カバー２を本発明の光ディスクドライブの操作者が下面方向に押圧力を加えることにより、垂直方向ガイド部材３に従って、図１６に示すように、下降する。記録再生機構本体部２０を下降させる際、記録再生機構本体部２０の底面部に設けられた２本のボス形状が光ディスクカートリッジの位置決め穴に合致し、光ディスクカートリッジ６１の位置を正規の位置に位置決めし、図１７に示すように、スピンドルモータ２２の先端に取り付けられた磁石と光ディスク６０に固定された固定された金属リング６４が吸着し、光ディスク６０はスピンドルモータ２２の先端に固定される。このとき、固定された金属リング６４は、光ディスク６０を介して、スピンドルモータ２２が存在する逆の面に接着剤などで固定されており、スピンドルモータ２２に取り付けられた磁石が直接、固定された金属リング６４と吸着することがないため、経時変化により、固定された金属リング６４を取り付ける接着剤が劣化しても、スピンドルモータ２２に取り付けられた磁石が光ディスク６０に取り付けられた金属リング６４を抜去されることはない。
【００３８】
記録再生機構本体部２０が下降する際、図１８に示すように、記録再生機構本体部２０の底面部に設けられた凸形状部Ｑ部がカートリッジ排出部材固定ばね７４に押圧力を加え、カートリッジ排出部材固定ばね７４は前記押圧力により撓み、Ｑ部の矢印形状が、ＣＦカード規格機構部フレーム５１の側面部に設けられた凸形状からはずれ、係留のなくなったカートリッジ排出部材７１は圧縮されたカートリッジ排出ばね７２の蓄積されたエネルギーにより、カートリッジ排出シャフト７３を介して押圧力を受ける。その結果、カートリッジ排出部材７１が光ディスクカートリッジ６１を排出する押圧力を与える。そして、本発明の光ディスクドライブの操作者が、光ディスクカートリッジ６１を取り出すためにスライドボタン３９を操作し、記録再生機構本体部２０が上昇すると、光ディスクカートリッジ６１はカートリッジトレイ７０から排出される。
【００３９】
記録再生機構本体部２０が下降すると同時に、図１９に示すように、モータ固定部材３０に摺動軸をもつ記録再生機構部上下動作感知レバー３２の下端が上面カバー５２に接触を開始すると、記録再生機構部上下動作感知レバー３２がＦ方向に回転するように動き、その結果、図３に示した電子スイッチ１３を動かし、電子スイッチ１３が通電すると記録再生機構本体部２０の下降が完了したことを感知する。
【００４０】
記録再生機構本体部２０の下降が完了したことを感知すると、光ピックアップモジュール２１は、フィードモータ２８が回転することにより、モータ歯車２９、中間歯車２７、リードスクリューシャフト歯車２５を介して、リードスクリューシャフト２３を回転させる。そして、回転するリードスクリューシャフト２３に押し当てられたリードスクリューシャフト押圧ばね２６により、リードスクリューシャフト２３の回転力が光ピックアップモジュール２１に伝達し、光ピックアップモジュール２１はガイドシャフト３３に沿って、光ディスク６０の外周、内周間を動く。このとき、フォトインターラプター３１により、中間歯車２７の中心位置にスリットを設けた円形状の遮蔽板をカウントすることにより、モータの回転数を計算し、つまりは光ピックアップモジュール２１の移動距離を計測し、光ピックアップモジュール２１の動作を制御するものである。
【００４１】
ここで、図２０に、ＣＦカード規格機構部１０１の上面図を示す。図２０からわかるように、光ディスクカートリッジ６１とＣＦカード規格機構部１０１の幅寸法が近接している場合、ＣＦカード規格機構部１０１の中心位置に光ディスクカートリッジ６１の中心位置を合わせると、ＣＦカード規格機構部１０１の両端部に残されたスペースでは、前記のカートリッジ排出部材７１、カートリッジ排出ばね７２、カートリッジ排出シャフト７３、カートリッジ排出部材固定ばね７４を構成させることが困難となる。そこで、本発明の光ディスクドライブでは、図２０に示すようにＣＦカード規格機構部１０１の中心位置と光ディスクカートリッジ６１の中心位置をずらし、片側部にカートリッジ排出部材７１、カートリッジ排出ばね７２、カートリッジ排出シャフト７３、カートリッジ排出部材固定ばね７４を構成する場所を設ける。
【００４２】
さらに、前記の片側に設けられた場所に、記録再生機構部１００の上下動の動作を誘導する垂直方向ガイド部材３を設けたり、図２１に示すように記録再生機構部内回路基板１０とＣＦカード規格機構部回路基板６３を接続する基板間ＦＰＣ１２を湾曲するように取り付け、記録再生機構部１００の上下動に合わせて、基板間ＦＰＣ１２が追従するように動くようにする。
【００４３】
次に、現在、市販されている最薄のカード規格、ＣＦカードｔｙｐｅ１規格へ対応させる構成について説明する。ＣＦカード規格において、ＣＦカード規格機構部の断面高さの最小規格値は３．３ｍｍである。本発明では、本発明の光ディスクドライブを小型化することにより、
ＰＤＡなどの携帯機器に接続した場合においても、携帯性を損なうことのないよう、図
５，６，８，１０に示すように、ＣＦカードｔｙｐｅ１規格である３．３ｍｍ規格値寸法内に光ディスクカートリッジ６１が入るように配置する。本発明においては光ディスクカートリッジ６１の高さ方向の寸法を２ｍｍとし、上面カバー５２、下面カバー７５を各０．２ｍｍのＳＵＳなどの金属製の板材、光ディスクカートリッジ６１を保持するカートリッジトレイ７０を０．１５ｍｍのＳＵＳなどの金属製の板材、ＣＦカード規格機構部回路基板６３を０．５ｍｍ、残りの０．３５ｍｍを前記部品間のクリアランスとして分配する。当然ながら、光ディスクカートリッジ６１の光ディスクの高さ方向寸法を短くすることができれば、他の構成部品の高さ方向寸法を増加させることができ、本発明の情報再生装置（光ディスクドライブ装置）自体の強度などを増強させることができる。
【００４４】
また、前記部品の構成として、ＣＦカード規格機構部１０１の上面より、上面カバー５２、光ディスクカートリッジ６１、カートリッジトレイ７０、ＣＦカード規格機構部回路基板６３、下面カバー７５とすることにより、ＣＦカード規格機構部１０１内部の空間を効率的に利用することができる。また、さらに本発明の光ディスクドライブを小型化にするために、図２２に示すようにＣＦカードの形状規格で定められた傾斜部Ｒ部にスピンドルモータ２２の底面部を配置する、つまり、光ディスク６０の中心位置をＣＦカードの形状規格で定められた傾斜部に設ける、または可能な限り近づけることにより、ＣＦカードｔｙｐｅ１規格である３．３ｍｍの高さの範囲に、光ディスクカートリッジ６１の位置をずらすことができる。
【００４５】
一般にスピンドルモータとして、周対向型のモータが一般に市販されている光ディスクドライブに取り付けられているが、さらにスピンドルモータの高さを低くするために、モータのコイルを細線、線間距離の狭ピッチ化が可能な高密度に印刷し、積層したセラミックコイルを使用したモータを利用することにより、スピンドルモータの高さ方向の寸法を縮めることができ、さらにＣＦカードｔｙｐｅ１規格である３．３ｍｍの高さの範囲に、光ディスクカートリッジの位置をずらすことができる。よって、本発明の光ディスクドライブにおいて、長さ方向の寸法をさらに短縮することができるために、本発明の光ディスクドライブの携帯性を向上させることができる。
【産業上の利用可能性】
【００４６】
本発明は、コネクタ部を他の装置などに接続したまま、昇降部の昇降によってメディア挿入部の開閉を行えるので、情報再生装置を他の装置などに挿入したままメディアを交換することができ、操作性が向上するので、携帯情報機器、携帯電話、携帯ゲーム機などに代表される携帯端末機器に接続可能であって、少なくとも情報の再生が行える情報再生装置などに適応可能である。
【図面の簡単な説明】
【００４７】
【図１】本発明の一実施の形態における情報再生装置を示す斜視図
【図２】本発明の一実施の形態における情報再生装置の部分拡大図
【図３】本発明の一実施の形態における情報再生装置の部分拡大図
【図４】本発明の一実施の形態における情報再生装置の部分拡大図
【図５】本発明の一実施の形態における情報再生装置を示す斜視図
【図６】本発明の一実施の形態における情報再生装置を示す斜視図
【図７】本発明の一実施の形態における情報再生装置に用いられる光カートリッジを示す斜視図
【図８】本発明の一実施の形態における情報再生装置を示す斜視図
【図９】本発明の一実施の形態における情報再生装置を示す斜視図
【図１０】本発明の一実施の形態における情報再生装置の動作を示す図
【図１１】本発明の一実施の形態における情報再生装置の動作を示す図
【図１２】本発明の一実施の形態における情報再生装置の動作を示す図
【図１３】本発明の一実施の形態における情報再生装置の動作を示す図
【図１４】本発明の一実施の形態における情報再生装置の動作を示す図
【図１５】本発明の一実施の形態における情報再生装置の動作を示す図
【図１６】本発明の一実施の形態における情報再生装置の動作を示す図
【図１７】本発明の一実施の形態における情報再生装置の動作を示す図
【図１８】本発明の一実施の形態における情報再生装置の動作を示す図
【図１９】本発明の一実施の形態における情報再生装置の動作を示す図
【図２０】本発明の一実施の形態における情報再生装置の動作を示す図
【図２１】本発明の一実施の形態における情報再生装置の動作を示す図
【図２２】本発明の一実施の形態における情報再生装置の部分拡大図
【符号の説明】
【００４８】
１，２    カバー
３    垂直方向ガイド部材
１０    記録再生機構部内回路基板
１１    光ピック信号用ＦＰＣ
１２    基板間ＦＰＣ
１３    電子スイッチ
２０    記録再生機構本体部
２１    光ピックアップモジュール
２２    スピンドルモータ
２３    リードスクリューシャフト
２４    ラック板バネ
２５    リードスクリューシャフト歯車
２６    リードスクリューシャフト押圧ばね
２７    中間歯車
２８    フィードモータ
２９    モータ歯車
３０    モータ固定部材
３１    フォトインターラプター
３２    記録再生機構部上下動作感知レバー
３３    ガイドシャフト
３４    ガイドシャフト固定部材
３５    側面ガイド部材
３６    側面係留部材
３７    側面係留付勢力ばね
３８    記録再生機構本体部持ち上げばね
３９    スライドボタン
５０    ＣＦカード規格コネクタ
５１    ＣＦカード規格機構部フレーム
５２    上面カバー
６０    光ディスク
６１    光ディスクカートリッジ
６２    カートリッジシャッター
６３    ＣＦカード規格機構部回路基板
６４    固定された金属リング
６５    シャッター係留部材
７０    カートリッジトレイ
７１    カートリッジ排出部材
７２    カートリッジ排出ばね
７３    カートリッジ排出シャフト
７４    カートリッジ排出部材固定ばね
７５    下面カバー
１００    記録再生機構部
１０１    ＣＦカード規格機構部
【図１】
2005196910.tif 000003
【図２】
2005196910.tif 000004
【図３】
2005196910.tif 000005
【図４】
2005196910.tif 000006
【図５】
2005196910.tif 000007
【図６】
2005196910.tif 000008
【図７】
2005196910.tif 000009
【図８】
2005196910.tif 000010
【図９】
2005196910.tif 000011
【図１０】
2005196910.tif 000012
【図１１】
2005196910.tif 000013
【図１２】
2005196910.tif 000014
【図１３】
2005196910.tif 000015
【図１４】
2005196910.tif 000016
【図１５】
2005196910.tif 000017
【図１６】
2005196910.tif 000018
【図１７】
2005196910.tif 000019
【図１８】
2005196910.tif 000020
【図１９】
2005196910.tif 000021
【図２０】
2005196910.tif 000022
【図２１】
2005196910.tif 000023
【図２２】
2005196910.tif 000024